【手続補正書】
【提出日】令和3年6月11日(2021.6.11)
【手続補正１】
【補正対象書類名】特許請求の範囲
【補正対象項目名】全文
【補正方法】変更
【補正の内容】
【特許請求の範囲】
【請求項１】
入射した放射線に応じた第１の信号に基づく放射線画像を生成するための複数の画素を含む撮像部と、前記撮像部に入射する前記放射線を検出する検出部と、前記撮像部から出力された前記第１の信号および前記放射線の入射中の期間に前記検出部から出力された第２の信号を増幅する増幅部を含み、増幅された前記第１の信号および前記第２の信号に基づく信号を出力する処理を行う処理部と、前記処理部を制御する制御部と、を含む放射線撮像装置であって、
前記制御部は、
放射線の照射が開始される前に、前記処理部を第１の電力消費モードで動作させ、前記第１の電力消費モードにおいて、前記処理部に前記複数の画素をリセットするリセット動作を行わせ、
前記撮像部への放射線の照射開始を示す開始情報に応じて、前記処理部を前記第１の電力消費モードよりも電力消費が多い第２の電力消費モードで動作させ、前記第２の電力消費モードにおいて、前記処理部に前記第２の信号に基づく前記撮像部に入射する入射線量を示す信号の出力を前記期間に開始させることを特徴とする放射線撮像装置。
【請求項２】
前記第２の電力消費モードにおいて、前記処理部のうち少なくとも一部に前記第１の電力消費モードよりも高い電圧が供給されることを特徴とする請求項１に記載の放射線撮像装置。
【請求項３】
前記第２の電力消費モードにおいて、前記処理部に供給される電流量が、前記第１の電力消費モードよりも多いことを特徴とする請求項１または２に記載の放射線撮像装置。
【請求項４】
前記開始情報が、前記放射線撮像装置の外部から前記制御部に入力されることを特徴とする請求項１乃至３の何れか１項に記載の放射線撮像装置。
【請求項５】
前記放射線撮像装置は、前記複数の画素のそれぞれにバイアス電圧を供給するためのバイアス線をさらに含み、
前記制御部は、前記バイアス線を流れる電流量に基づいて前記開始情報を取得し、取得した前記開始情報に応じて、前記処理部を前記第１の電力消費モードから前記第２の電力消費モードに遷移させることを特徴とする請求項１乃至３の何れか１項に記載の放射線撮像装置。
【請求項６】
前記処理部は、前記撮像部から出力される信号を増幅する増幅部と、前記増幅部から出力される信号をデジタル信号に変換する変換部と、前記変換部から出力される信号を演算処理する演算部と、を含み、
前記第２の電力消費モードにおいて前記増幅部、前記変換部および前記演算部のうち少なくとも１つに供給される電力が、前記第１の電力消費モードにおいて供給される電力よりも多いことを特徴とする請求項１乃至５の何れか１項に記載の放射線撮像装置。
【請求項７】
前記増幅部は、前記増幅部に供給される基準電位を、前記撮像部と前記増幅部とを接続する信号線に供給可能な構成を備え、
前記リセット動作において、前記制御部は、前記基準電位を前記増幅部から前記信号線を介して前記複数の画素に供給することによって、前記複数の画素をリセットし、
前記制御部は、
前記第１の電力消費モードにおいて、前記処理部のうち前記増幅部を動作させ、
前記第２の電力消費モードにおいて、前記処理部のうち前記変換部および前記演算部をさらに動作させることを特徴とする請求項６に記載の放射線撮像装置。
【請求項８】
前記制御部は、
前記第１の電力消費モードにおいて、前記処理部に前記第２の信号に基づく信号を出力させ、
当該信号に基づいて前記開始情報を取得し、取得した前記開始情報に応じて、前記処理部を前記第１の電力消費モードから前記第２の電力消費モードに遷移させることを特徴とする請求項１乃至３の何れか１項に記載の放射線撮像装置。
【請求項９】
前記制御部は、
前記第１の電力消費モードにおいて、第１の周期で、前記処理部に前記第２の信号に基づく信号を出力させ、
前記第２の電力消費モードにおいて、前記第１の周期よりも周期が短い第２の周期で、前記処理部に前記第２の信号に基づく信号を出力させることを特徴とする請求項８に記載の放射線撮像装置。
【請求項１０】
前記制御部は、開始情報に応じて前記処理部を第２の電力消費モードに遷移させた後、所定の時間、待機した後に、前記処理部に前記第２の信号に基づく信号を出力させることを特徴とする請求項１乃至９の何れか１項に記載の放射線撮像装置。
【請求項１１】
前記所定の時間が、前記処理部に供給される電力、および、前記処理部の温度のうち少なくとも一方が安定するまでの時間であることを特徴とする請求項１０に記載の放射線撮像装置。
【請求項１２】
前記複数の画素のうち何れかが、前記検出部として機能することを特徴とする請求項１乃至１１のいずれか１項に記載の放射線撮像装置。
【請求項１３】
前記制御部は、前記撮像部への放射線の照射が終了した後に、前記処理部を前記第１の電力消費モードよりも電力消費が多い第３の電力消費モードで動作させ、前記処理部に前記第１の信号に基づいた放射線画像を生成するための信号を出力させることを特徴とする請求項１乃至１２の何れか１項に記載の放射線撮像装置。
【請求項１４】
請求項１乃至１３の何れか１項に記載の放射線撮像装置と、
前記放射線撮像装置に放射線を照射するための放射線源と、
を含む放射線撮像システムであって、
前記放射線源は、前記処理部から出力された入射線量のモニタを行うための信号に応じて露出制御されることを特徴とする放射線撮像システム。
【請求項１５】
入射した放射線に応じた第１の信号に基づく放射線画像を生成するための複数の画素を含む撮像部と、前記撮像部に入射する前記放射線を検出する検出部と、前記撮像部から出力された前記第１の信号および前記放射線の入射中の期間に前記検出部から出力された第２の信号を増幅する増幅部を含み、増幅された前記第１の信号および前記第２の信号に基づく信号を出力する処理を行う処理部と、を含む放射線撮像装置の制御方法であって、
放射線の照射が開始される前に、前記処理部を第１の電力消費モードで動作させ、前記第１の電力消費モードにおいて、前記処理部に前記複数の画素をリセットするリセット動作を行わせる工程と、
前記撮像部への放射線の照射開始を示す開始情報に応じて、前記処理部を前記第１の電力消費モードよりも電力消費が多い第２の電力消費モードで動作させ、前記第２の電力消費モードにおいて、前記処理部に前記第２の信号に基づく前記撮像部に入射する入射線量を示す信号の出力を前記期間に開始させる工程と、
を含むことを特徴とする制御方法。
【請求項１６】
請求項１５に記載の制御方法の各工程をコンピュータに実行させるためのプログラム。
【手続補正２】
【補正対象書類名】明細書
【補正対象項目名】０００６
【補正方法】変更
【補正の内容】
【０００６】
上記課題に鑑みて、本発明の実施形態に係る放射線撮像装置は、入射した放射線に応じた第１の信号に基づく放射線画像を生成するための複数の画素を含む撮像部と、前記撮像部に入射する前記放射線を検出する検出部と、前記撮像部から出力された前記第１の信号および前記放射線の入射中の期間に前記検出部から出力された第２の信号を増幅する増幅部を含み、増幅された前記第１の信号および前記第２の信号に基づく信号を出力する処理を行う処理部と、前記処理部を制御する制御部と、を含む放射線撮像装置であって、前記制御部は、放射線の照射が開始される前に、前記処理部を第１の電力消費モードで動作させ、前記第１の電力消費モードにおいて、前記処理部に前記複数の画素をリセットするリセット動作を行わせ、前記撮像部への放射線の照射開始を示す開始情報に応じて、前記処理部を前記第１の電力消費モードよりも電力消費が多い第２の電力消費モードで動作させ、前記第２の電力消費モードにおいて、前記処理部に前記第２の信号に基づく前記撮像部に入射する入射線量を示す信号の出力を前記期間に開始させることを特徴とする。